(57)【特許請求の範囲】
【請求項１】
第１の端子と、
第２の端子と、
第１の電位を形成する第１の電位形成部と、
前記第１の電位とは異なる第２の電位を形成する第２の電位形成部と、
第１のパルス信号のレベルに基づいて、前記第１の端子の電位を前記第１の電位又は前記第２の電位に切替える第１の切替部と、
前記第１のパルス信号の低周波成分を通過させた信号であって、過渡的に変化する応答である第１の応答信号を出力する第１の低域通過フィルタと、
前記第１のパルス信号を反転する第１の反転部と、
反転された前記第１のパルス信号の低周波成分を通過させた信号であって、過渡的に変化する応答である第２の応答信号を出力する第２の低域通過フィルタと、
前記第１の応答信号の大きさと前記第２の応答信号の大きさとを比較し、前記第１の応答信号及び前記第２の応答信号のいずれか一方が他方よりも大きい場合に高いレベルとなる第２のパルス信号を出力する第１の比較部と、
前記第２のパルス信号のレベルに基づいて、前記第２の端子の電位を前記第１の電位又は前記第２の電位に切替える第２の切替部と、
を有することを特徴とする電源装置。
【請求項２】
前記第１の低域通過フィルタ及び前記第２の低域通過フィルタの少なくともいずれかは、時定数を異なる値に切替える時定数切替部を有すること、
を特徴とする請求項１に記載の電源装置。
【請求項３】
前記第２のパルス信号の低周波成分を通過させた信号であって、過渡的に変化する応答である第３の応答信号を出力する第３の低域通過フィルタと、
前記第２のパルス信号を反転する第２の反転部と、
反転された前記第２のパルス信号の低周波成分を通過させた信号であって、過渡的に変化する応答である第４の応答信号を出力する第４の低域通過フィルタと、
前記第３の応答信号の大きさと前記第４の応答信号の大きさとを比較し、前記第３の応答信号及び前記第４の応答信号のいずれか一方が他方よりも大きい場合に高いレベルとなる第３のパルス信号を出力する第２の比較部と、
をさらに有し、
前記第２の切替部は、
前記第３のパルス信号のレベルに基づいて、前記第２の端子の電位を前記第１の電位又は前記第２の電位に切替えること、
を特徴とする請求項１又は２に記載の電源装置。
【請求項４】
前記第２のパルス信号又は前記第３のパルス信号のいずれのレベルに応じて前記第２の切替部が前記第２の端子の電位を切替えるかを選択する選択部をさらに有すること、
を特徴とする請求項３に記載の電源装置。
【請求項５】
デューティ比が可変である前記第１のパルス信号を生成するパルス信号生成部をさらに有すること、
を特徴とする請求項１〜４のいずれか１項に記載の電源装置。
【請求項６】
前記第１の低域通過フィルタに対し、必要な電流を供給しつつ、前記第１のパルス信号を反転せず伝達する非反転回路をさらに有すること、
を特徴とする請求項１〜５のいずれか１項に記載の電源装置。
【請求項７】
絶縁部を介して配置された第１の電極及び第２の電極を備えて、像担持体へ現像剤を担持しつつ搬送する現像剤担持体と、
前記第１の電極及び前記第２の電極に対してそれぞれ電位を設定する電位設定部と、
を有し、
前記電位設定部は、
第１の電位を形成する第１の電位形成部と、
前記第１の電位とは異なる第２の電位を形成する第２の電位形成部と、
第１のパルス信号のレベルに基づいて、前記第１の電極の電位を前記第１の電位又は前記第２の電位に切替える第１の切替部と、
前記第１のパルス信号の低周波成分を通過させた信号であって、過渡的に変化する応答である第１の応答信号を出力する第１の低域通過フィルタと、
前記第１のパルス信号を反転する第１の反転部と、
反転された前記第１のパルス信号の低周波成分を通過させた信号であって、過渡的に変化する応答である第２の応答信号を出力する第２の低域通過フィルタと、
前記第１の応答信号の大きさと前記第２の応答信号の大きさとを比較し、前記第１の応答信号及び前記第２の応答信号のいずれか一方が他方よりも大きい場合に高いレベルとなる第２のパルス信号を出力する第１の比較部と、
前記第２のパルス信号のレベルに基づいて、前記第２の電極の電位を前記第１の電位又は前記第２の電位に切替える第２の切替部と、
を有し、
前記第１の電極及び前記第２の電極は、
前記第１の切替部及び前記第２の切替部の少なくともいずれかが電位を切替えることにより、前記像担持体に対する電界の方向を変化させること、
を特徴とする画像形成装置。
【発明の詳細な説明】
【技術分野】
【０００１】
本発明は、複数の端子の電位を切替える電源装置、及び静電潜像を現像剤で現像して画像を形成する画像形成装置に関する。
【背景技術】
【０００２】
潜像を現像する現像ローラの芯金と表面電極に逆位相のパルス電圧を印加し、トナーが反発飛翔と吸引飛翔を繰り返すように電界を変化させつつ、トナーを感光ドラムに向けて搬送する画像形成装置が知られている。
【０００３】
従来、２つの電極に逆位相のパルス電圧を印加する場合、クロック信号を用いたデジタル回路で制御することが知られている。また、位相制御にクロック信号を用いることも知られている。例えば、特許文献１には、分周したクロックを用いたデジタル位相制御回路が開示されている。
【発明の概要】
【発明が解決しようとする課題】
【０００４】
しかしながら、特許文献１に開示された発明は、入力信号の整数倍の周波数をもつクロック信号が必要であり、構成が複雑になってしまうという問題がある。
【０００５】
本発明は、上記に鑑みてなされたものであって、簡易な構成で位相をシフトさせた信号を用いて電界を変化させることができる電源装置及び画像形成装置を提供することを目的とする。
【課題を解決するための手段】
【０００６】
上述した課題を解決し、目的を達成するために、本発明は、第１の端子と、第２の端子と、第１の電位を形成する第１の電位形成部と、前記第１の電位とは異なる第２の電位を形成する第２の電位形成部と、第１のパルス信号のレベルに基づいて、前記第１の端子の電位を前記第１の電位又は前記第２の電位に切替える第１の切替部と、前記第１のパルス信号の低周波成分を通過させた信号であって、過渡的に変化する応答である第１の応答信号を出力する第１の低域通過フィルタと、前記第１のパルス信号を反転する第１の反転部と、反転された前記第１のパルス信号の低周波成分を通過させた信号であって、過渡的に変化する応答である第２の応答信号を出力する第２の低域通過フィルタと、前記第１の応答信号の大きさと前記第２の応答信号の大きさとを比較し、前記第１の応答信号及び前記第２の応答信号のいずれか一方が他方よりも大きい場合に高いレベルとなる第２のパルス信号を出力する第１の比較部と、前記第２のパルス信号のレベルに基づいて、前記第２の端子の電位を前記第１の電位又は前記第２の電位に切替える第２の切替部と、を有することを特徴とする。
【０００７】
また、本発明は、絶縁部を介して配置された第１の電極及び第２の電極を備えて、像担持体へ現像剤を担持しつつ搬送する現像剤担持体と、前記第１の電極及び前記第２の電極に対してそれぞれ電位を設定する電位設定部と、を有し、前記電位設定部は、第１の電位を形成する第１の電位形成部と、前記第１の電位とは異なる第２の電位を形成する第２の電位形成部と、第１のパルス信号のレベルに基づいて、前記第１の電極の電位を前記第１の電位又は前記第２の電位に切替える第１の切替部と、前記第１のパルス信号の低周波成分を通過させた信号であって、過渡的に変化する応答である第１の応答信号を出力する第１の低域通過フィルタと、前記第１のパルス信号を反転する第１の反転部と、反転された前記第１のパルス信号の低周波成分を通過させた信号であって、過渡的に変化する応答である第２の応答信号を出力する第２の低域通過フィルタと、前記第１の応答信号の大きさと前記第２の応答信号の大きさとを比較し、前記第１の応答信号及び前記第２の応答信号のいずれか一方が他方よりも大きい場合に高いレベルとなる第２のパルス信号を出力する第１の比較部と、前記第２のパルス信号のレベルに基づいて、前記第２の電極の電位を前記第１の電位又は前記第２の電位に切替える第２の切替部と、を有し、前記第１の電極及び前記第２の電極は、前記第１の切替部及び前記第２の切替部の少なくともいずれかが電位を切替えることにより、前記像担持体に対する電界の方向を変化させること、を特徴とする。
【発明の効果】
【０００８】
本発明によれば、簡易な構成で位相をシフトさせた信号を用いて電界を変化させることができるという効果を奏する。
【図面の簡単な説明】
【０００９】
【図１】図１は、実施の形態にかかる画像形成装置の概要を示す構成図である。
【図２】図２は、現像ローラ（正面図）及びその周辺の構成を示す模式図である。
【図３】図３は、現像ローラ（部分断面図）及びその周辺の構成を示す模式図である。
【図４】図４は、ブリッジ回路及びブリッジ制御回路それぞれの構成を示す構成図である。
【図５】図５は、第１の低域通過フィルタの構成を示す構成図である。
【図６】図６は、ブリッジ回路の基本動作を示すタイミングチャートである。
【図７】図７は、端子Ａ、Ｂの電位、及び端子Ｂの電位に対する端子Ａの相対電位を示すタイミングチャートである。
【図８】図８は、比較器の動作を示すタイミングチャート（波形図）である。
【図９】図９は、パルス信号に位相差がある場合の端子Ａ、Ｂの電位、及び端子Ｂの電位に対する端子Ａの相対電位を示すタイミングチャートである。
【図１０】図１０は、第１の低域通過フィルタの変形例を示す構成図である。
【図１１】図１１は、第１の低域通過フィルタの時定数が変更された場合の比較器の動作を示すタイミングチャート（波形図）である。
【図１２】図１２は、ブリッジ制御回路の第１の変形例を示す構成図である。
【図１３】図１３は、第１の低域通過フィルタが出力する第１の応答信号と、第２の低域通過フィルタが出力する第２の応答信号との大小関係が入れ替わるタイミングを示すタイミングチャート（波形図）である。
【図１４】図１４は、ブリッジ制御回路の第２の変形例を示す構成図である。
【図１５】図１５は、ブリッジ制御回路の第２の変形例の動作の一部を示すタイミングを示すタイミングチャート（波形図）である。
【図１６】図１６は、ブリッジ制御回路の第３の変形例を示す構成図である。
【図１７】図１７は、実施の形態にかかる画像形成装置のハードウェア構成例を示すブロック図である。
【発明を実施するための形態】
【００１０】
以下に添付図面を参照して、画像形成装置の実施の形態を詳細に説明する。本実施の形態の画像形成装置は、第１の電位を形成する第１の電位形成部と、第１の電位とは異なる第２の電位を形成する第２の電位形成部と、第１のパルス信号のレベルに基づいて、第１の端子の電位を第１の電位又は第２の電位に切替える第１の切替部と、第１のパルス信号の低周波成分を通過させた信号であって、過渡的に変化する応答である第１の応答信号を出力する第１の低域通過フィルタと、第１のパルス信号を反転する第１の反転部と、反転された第１のパルス信号の低周波成分を通過させた信号であって、過渡的に変化する応答である第２の応答信号を出力する第２の低域通過フィルタと、第１の応答信号の大きさと第２の応答信号の大きさとを比較し、第１の応答信号及び第２の応答信号のいずれか一方が他方よりも大きい場合に高いレベルとなる第２のパルス信号を出力する第１の比較部と、第２のパルス信号のレベルに基づいて、第２の端子の電位を第１の電位又は第２の電位に切替える第２の切替部とを有し、像担持体へ現像剤を担持しつつ搬送する現像剤担持体の像担持体に対する電界の方向を変化させる。
【００１１】
これにより、本実施の形態の画像形成装置は、簡易な構成で位相をシフトさせた信号を出力し、現像剤担持体の像担持体に対する電界の方向を変化させて、高画質な画像を形成することができる。
【００１２】
図１は、実施の形態にかかる画像形成装置１の概要を示す構成図である。本図に示すように、画像形成装置１は、例えば４つの像形成装置１０、中間転写装置１２、給紙装置１４、搬送路１６、定着装置１８、コントローラ２１０、操作表示部２２０及び画像処理部３００を有する。この画像形成装置１は、パーソナルコンピュータ（ＰＣ）またはネットワークを介したサーバなど（図示せず）から受入れた画像データを印刷するプリンタ機能に加えて、フルカラー複写機としての機能、スキャナ機能及びファクシミリとしての機能を兼ね備えた複合機であってもよい。
【００１３】
画像形成装置１の上部には、コントローラ２１０、操作表示部２２０及び画像処理部３００が配置されている。コントローラ２１０（図１７参照）は、画像形成装置１を構成する各部を制御する。操作表示部２２０は、例えばタッチパネルなどであり、コントローラ２１０に対する入力を受入れるとともに、画像形成装置１の状態などを表示する。画像処理部３００は、受入れた画像データに対して階調補正及び解像度補正などの画像処理を施し、像形成装置１０に対して出力する。
【００１４】
画像形成装置１のほぼ中央部には、カラー画像を構成する色に対応して、複数の像形成装置１０が配置されている。本例では、シアン（Ｃ）、マゼンタ（Ｍ）、イエロー（Ｙ）、黒（Ｋ）の各色に対応して、第１の像形成装置１０Ｃ、第２の像形成装置１０Ｍ、第３の像形成装置１０Ｙ及び第４の像形成装置１０Ｋが、中間転写装置１２に沿って所定の間隔を空けてほぼ水平に配列されている。
【００１５】
４つの像形成装置１０Ｃ、１０Ｍ、１０Ｙ、１０Ｋは、収容している現像剤の色がそれぞれ異なり、その他の構成がほぼ同様にされている。以下、像形成装置１０のいずれかを特定する場合には、Ｃ、Ｍ、Ｙ又はＫを付すことにより区別する。
【００１６】
中間転写装置１２は、中間転写体としての中間転写ベルト２０を図中矢印ａの方向に回転させる。４つの像形成装置１０Ｃ、１０Ｍ、１０Ｙ、１０Ｋは、画像処理部３００から入力された画像データに基づいて各色の現像剤像を順次形成する。中間転写装置１２は、４つの像形成装置１０Ｃ、１０Ｍ、１０Ｙ、１０Ｋが形成した複数の現像剤像を重ね合わせるタイミングで中間転写ベルト２０に転写（一次転写）する。
【００１７】
給紙装置１４は、用紙などの記録媒体２２を搬送路１６に対して供給する。搬送路１６は、中間転写装置１２の下方に配置されている。給紙装置１４から供給された記録媒体２２は、搬送路１６上を図中矢印ｂの方向に搬送され、中間転写ベルト２０上に多重に転写された各色の現像剤像が一括して転写（二次転写）され、転写された現像剤像が定着装置１８によって定着され、外部に排出される。
【００１８】
次に、画像形成装置１の各構成についてより詳細に説明する。上述したように、４つの像形成装置１０Ｃ、１０Ｍ、１０Ｙ、１０Ｋは、ほぼ同様に構成されている。以下、第１の像形成装置１０Ｃを例に説明する。第１の像形成装置１０Ｃは、像担持体２４Ｃ、帯電装置２６Ｃ、光書込装置２８Ｃ及び現像装置３０Ｃを有する。
【００１９】
像担持体２４Ｃは、例えば円筒状の感光体ドラムであり、アルミニウムなどの導電性ドラム上に、少なくとも電荷発生層と、電荷輸送層とを含む光導電層を備え、長手方向を軸として回転（図１において反時計回りに回転）するようにされている。
【００２０】
帯電装置２６Ｃは、例えばコロトロン、スコロトロン、または帯電ローラなどであり、像担持体２４Ｃに対し、表面電荷を付与して帯電させる。
【００２１】
光書込装置２８Ｃは、画像処理部３００から受入れたシアン（Ｃ）の画像データに応じて光を出射する例えばＬＰＨ（ＬＥＤ  Ｐｒｉｎｔ  Ｈｅａｄ）などである。光書込装置２８Ｃは、帯電装置２６Ｃが帯電させた像担持体２４Ｃに光を照射（露光）することにより、像担持体２４Ｃに静電潜像を形成する。
【００２２】
現像装置３０Ｃは、現像ローラ３１Ｃ、現像剤供給ローラ、規制ブレードなどを含み、収容しているシアン（Ｃ）の現像剤により、像担持体２４Ｃに形成された静電潜像を現像する。現像ローラ３１Ｃは、軸となる芯金を備えた円筒状の部材であり、像担持体２４Ｃに対し、予め定められた隙間を保つように、ほぼ平行に配置されている。また、現像ローラ３１Ｃは、図２等を用いて詳述する電源部５０が接続されている。
【００２３】
また、他の像形成装置１０Ｍ、１０Ｙ、１０Ｋも、像形成装置１０Ｃと同様に、マゼンタ（Ｍ）、イエロー（Ｙ）、黒（Ｋ）の各色の現像剤像を形成する。
【００２４】
中間転写装置１２は、各像形成装置１０Ｃ、１０Ｍ、１０Ｙ、１０Ｋに対向する位置にそれぞれ第１の一次転写ローラ４０Ｃ、第２の一次転写ローラ４０Ｍ、第３の一次転写ローラ４０Ｙ及び第４の一次転写ローラ４０Ｋを有する。また、中間転写装置１２は、中間転写ベルト２０を図中矢印ａの方向に回転させるように搬送する搬送ローラ３２、３４、３６を有する。
【００２５】
搬送ローラ３２、３４、３６が中間転写ベルト２０を回転させることにより、一次転写ローラ４０Ｃ、４０Ｍ、４０Ｙ、４０Ｋは、像形成装置１０Ｃ、１０Ｍ、１０Ｙ、１０Ｋ上に形成された各色の現像剤像を中間転写ベルト２０に多重転写（重畳）させる。
【００２６】
また、搬送ローラ３２は、搬送路１６に設けられた搬送ローラ３８とともに二次転写バイアスが印加された二次転写部を形成する。搬送ローラ３２と搬送ローラ３８は、搬送路１６を通って搬送される記録媒体２２に対し、中間転写ベルト２０上に重畳された各色の現像剤像を一括して転写する。
【００２７】
二次転写部の下流には、クリーニングブレードを含むクリーニング装置４２が設けられている。クリーニング装置４２は、記録媒体２２に現像剤像が転写された後に中間転写ベルト２０に残留する現像剤を除去する。
【００２８】
また、中間転写装置１２には、例えば中間転写ベルト２０に対向するように、センサ４４が設けられている。センサ４４は、例えば中間転写ベルト２０に光束を出射し、中間転写ベルト２０からの反射光を検出して、例えば現像剤像の濃度（画素ごとの濃度など）の検出結果をコントローラ２１０に対して出力する。なお、センサ４４は、現像剤像が転写された記録媒体２２に光束を出射するようにされてもよい。
【００２９】
搬送路１６には、さらに搬送ローラ４６、排出ローラ４８が設けられている。搬送ローラ４６と排出ローラ４８との間には、定着装置１８が配置されている。定着装置１８は、現像剤像が転写された記録媒体２２に対して例えば熱と圧力とを加え、現像剤像を記録媒体２２に定着させる。排出ローラ４８は、現像剤像が定着された記録媒体２２を排出する。
【００３０】
次に、現像ローラ３１及びその周辺について詳述する。図２及び図３は、現像ローラ３１及びその周辺の構成を示す模式図である。図２においては、現像ローラ３１は、軸方向に対して平行な位置から軸方向に対して直行する方向に見た正面図が示されている。また、図３においては、現像ローラ３１は、軸方向に対して直行する面に沿って切断した場合の断面を模式的に示した部分断面図が示されている。なお、図２においては、後述する絶縁層３１６は図示していない。
【００３１】
現像ローラ３１は、トナーを担持しつつ搬送する現像剤担持体（フレアローラ）である。現像ローラ３１は、例えば導体である軸部３１０、内側電極３１２及び外側電極３１４を有する。内側電極３１２は、例えば軸部３１０と同電位になるように接続された円筒状の導体であり、外周面が絶縁層３１６に覆われている。外側電極３１４は、軸部３１０に対して平行となる方向に延びる複数の帯状部分が予め定められた間隔で形成されており、絶縁層３１６を介して内側電極３１２を覆うように設けられている。
【００３２】
さらに、現像ローラ３１には、外側電極３１４の外周面を覆う保護層としての表層３１８が設けられている。つまり、現像ローラ３１は、内側電極３１２、絶縁層３１６、外側電極３１４及び表層３１８が内周側から順に重ねられた４層構造になっている。
【００３３】
そして、現像ローラ３１は、内側電極３１２及び外側電極３１４に異なる電位が設定され、それぞれの電位が周期的に切替えられると、内側電極３１２及び外側電極３１４により表層３１８の外面側に生じる電界の方向が変化するように構成されている。ここで、現像ローラ３１は、表層３１８からトナーを反発させることと、表層３１８にトナーを吸引することとを繰り返し、回転しながらトナーを表層３１８上で摩擦により帯電させつつ像担持体２４に向けて搬送する。
【００３４】
このように、現像ローラ３１は、トナーを反発させることと吸引することとを繰り返すことにより、所謂トナーのクラウド化を行うフレア現像を実行する。なお、現像ローラ３１は、内側電極３１２と外側電極３１４との間に絶縁層３１６が設けられているため、容量性の負荷となっている。
【００３５】
図２及び図３に示すように、現像ローラ３１には、電源部５０が接続されている。電源部５０は、第１の電位形成部５２、第２の電位形成部５４、ブリッジ回路５６及びブリッジ制御回路５８を有する。
【００３６】
第１の電位形成部５２及び第２の電位形成部５４は、例えば１０００Ｖ未満の電位差が生じるように互いに異なる電圧を発生させる直流高圧電源である。例えば、第１の電位形成部５２は、上述したフレア現像を行う場合のピーク電圧Ｖｐｐを形成し、第２の電位形成部５４は、フレア現像を行う場合の基底電位を形成（バイアス電源）する。また、第１の電位形成部５２及び第２の電位形成部５４のいずれか一方の電位が０Ｖとなるように電位を設定されてもよい。
【００３７】
ブリッジ回路５６は、端子Ａ及び端子Ｂを有し、ブリッジ制御回路５８の制御に応じて、第１の電位形成部５２が形成する電位及び第２の電位形成部５４が形成する電位を端子Ａ及び端子Ｂに設定する。例えば、端子Ａは外側電極３１４に接続され、端子Ｂは軸部３１０に接続される。なお、内側電極３１２は、軸部３１０と同電位になる。
【００３８】
次に、ブリッジ回路５６及びブリッジ制御回路５８について詳述する。図４は、ブリッジ回路５６及びブリッジ制御回路５８それぞれの構成を示す構成図である。図４に示すように、ブリッジ回路５６は、例えば高耐圧ＦＥＴ（Ｆｉｅｌｄ  Ｅｆｆｅｃｔ  Ｔｒａｎｓｉｓｔｏｒ）などから構成される４つのスイッチ（ＳＷ１〜ＳＷ４）を有する。
【００３９】
ブリッジ回路５６は、例えば第１の電位形成部５２が形成する電位が端子Ｃに設定され、第２の電位形成部５４が形成する電位が端子Ｄに設定されて、ＳＷ１〜ＳＷ４がブリッジ制御回路５８により制御されると、端子Ａ及び端子Ｂにそれぞれ電位が設定される。
【００４０】
ブリッジ制御回路５８は、基準パルス生成部５８０、第１の切替回路５８２、第１の低域通過フィルタ（ＬＰＦ：Ｌｏｗ−ｐａｓｓ  ｆｉｌｔｅｒ）５８４、反転器５８６、第２の低域通過フィルタ５８８、比較器５９０及び第２の切替回路５９２を有する。
【００４１】
基準パルス生成部５８０は、例えばデューティ比を変更可能にされたパルス発生器であり、発生させたパルス（第１のパルス信号）を第１の切替回路５８２、第１の低域通過フィルタ５８４及び反転器５８６に対して出力する。なお、ブリッジ制御回路５８は、第１の切替回路５８２、第１の低域通過フィルタ５８４及び反転器５８６が外部からパルスを受入れ、基準パルス生成部５８０を有しない構成であってもよい。
【００４２】
第１の切替回路５８２は、例えば基準パルス生成部５８０から受入れた第１のパルス信号がハイレベル（Ｈ）である場合にはＳＷ１をオン、ＳＷ３をオフにするよう動作し、第１のパルス信号がローレベル（Ｌ）である場合にはＳＷ１をオフ、ＳＷ３をオンにするよう動作する。つまり、第１の切替回路５８２は、第１のパルス信号のレベルに応じてＳＷ１及びＳＷ３を切替える動作を行う。
【００４３】
第１の低域通過フィルタ５８４は、入力信号として第１のパルス信号を受入れると、図５（ａ）に示すように過渡的に変化する応答である出力信号（第１の応答信号）を出力する。第１の低域通過フィルタ５８４は、図５（ｂ）に示すように、例えば抵抗器６００及びコンデンサ６０２を有する。なお、第１の低域通過フィルタ５８４は、過渡応答をするように構成されていれば、他の構成であってもよい。
【００４４】
反転器５８６は、例えばインバータ回路であり、基準パルス生成部５８０から受入れた第１のパルス信号を反転させ、第２の低域通過フィルタ５８８に対して出力する。なお、反転器５８６による遅延は、例えば無視できる程度に短いものとする。
【００４５】
第２の低域通過フィルタ５８８は、例えば第１の低域通過フィルタ５８４と同様に、抵抗器及びコンデンサを有する。第２の低域通過フィルタ５８８は、入力信号として反転された第１のパルス信号を反転器５８６から受入れると、過渡的に変化する応答である出力信号（第２の応答信号）を出力する。ただし、本実施形態において、第２の低域通過フィルタ５８８は、第１の低域通過フィルタ５８４とは時定数が異なるものとする。
【００４６】
比較器５９０は、例えばコンパレータである。比較器５９０は、第１の低域通過フィルタ５８４の出力信号（第１の応答信号）と、第２の低域通過フィルタ５８８の出力信号（第２の応答信号）とを受入れてそれぞれの大きさを比較し、例えば第１の応答信号が第２の応答信号よりも大きい場合に高いレベル（ハイレベル：Ｈ）となる第２のパルス信号を第２の切替回路５９２に対して出力する。比較器５９０は、第２の応答信号が第１の応答信号よりも大きい場合に高いレベル（ハイレベル：Ｈ）となる第２のパルス信号を出力するように設けられてもよい。
【００４７】
第２の切替回路５９２は、例えば比較器５９０から受入れた第２のパルス信号がハイレベル（Ｈ）である場合にはＳＷ２をオン、ＳＷ４をオフにするよう動作し、第２のパルス信号がローレベル（Ｌ）である場合にはＳＷ２をオフ、ＳＷ４をオンにするよう動作する。つまり、第２の切替回路５９２は、第２のパルス信号のレベルに応じてＳＷ４及びＳＷ２を切替える動作を行う。
【００４８】
次に、図４及び図６を用いて、ブリッジ制御回路５８及びブリッジ回路５６の動作について説明する。図６は、ブリッジ回路５６の基本動作を示すタイミングチャートである。なお、図６に示したタイミングチャートは、ブリッジ回路５６の動作を説明するものであり、ブリッジ制御回路５８による制御は行われていないものとしている。
【００４９】
図６に示した端子Ａ、Ｂの電位は、図４に示した端子Ａ、Ｂに生じる電位を示している。また、動作例として、ブリッジ回路５６の端子Ｃ（図４）は第１の電位形成部５２から電圧Ｖｐｐが印加され、端子Ｄは第２の電位形成部５４により０Ｖが設定されている。
【００５０】
例えば、図４に示した第１の切替回路５８２がＳＷ１をオンにし、ＳＷ３をオフにすると、端子Ａの電位はＶｐｐ（図６）となる。また、第１の切替回路５８２がＳＷ１をオフにし、ＳＷ３をオンにすると、端子Ａの電位は０Ｖとなる。第２の切替回路５９２がＳＷ２をオンにし、ＳＷ４をオフにすると、端子Ｂの電位はＶｐｐとなる。また、第２の切替回路５９２がＳＷ２をオフにし、ＳＷ４をオンにすると、端子Ｂの電位は０Ｖとなる。
【００５１】
例えば、ＳＷ１及びＳＷ３を動作させるパルス信号と、ＳＷ２及びＳＷ４を動作させるパルス信号との位相が１８０°ずれている場合、図６（ａ）、（ｂ）に示すように、端子Ａ及び端子Ｂには、位相が１８０°ずれた電位が形成される。例えば、端子Ｂの電位を基準とすると、端子Ｂに対する端子Ａの相対的な電位は、図６（ｃ）に示すように、Ｖｐｐと−Ｖｐｐとを繰り返すこととなる。つまり、端子Ａと端子Ｂとの間には、常に電位差が生じていることになり、現像ローラ３１を痛めやすくしてしまうことがある。
【００５２】
一方、ＳＷ１及びＳＷ３を動作させるパルス信号と、ＳＷ２及びＳＷ４を動作させるパルス信号との位相が例えば約９０°（１８０°未満）ずれている場合、図７（ａ）、（ｂ）に示すように、端子Ａ及び端子Ｂには、位相が約９０°（１８０°未満）ずれた電位が形成される。ここで、端子Ｂの電位を基準とすると、端子Ｂに対する端子Ａの相対的な電位は、図７（ｃ）に示すように変化する。
【００５３】
すなわち、端子Ａに対して端子Ｂの電位が時間Ｔｓだけ遅れて変化すると、端子Ａの相対電位が端子ＢよりもＶｐｐだけ高くなる時間Ｔｓと、端子Ａ、Ｂ間に電位差がない時間と、端子Ａの相対電位が端子ＢよりもＶｐｐだけ低くなる時間Ｔｓとが生じる。つまり、端子Ａと端子Ｂとの間に電位差が生じていない時間があるため、電位差が現像ローラ３１に対して与える影響を小さくすることができる。
【００５４】
図８は、比較器５９０の動作を示すタイミングチャート（波形図）である。図８（ａ）に示した第１のパルス信号を基準パルス生成部５８０が出力すると、第１の低域通過フィルタ５８４は、図８（ｂ）に示した過渡的に変化する応答である出力信号（第１の応答信号）を出力する。
【００５５】
第２の低域通過フィルタ５８８は、反転器５８６が反転させた第１のパルス信号を受入れて、図８（ｂ）に示した過渡的に変化する応答である出力信号（第２の応答信号）を出力する。
【００５６】
比較器５９０は、第１の応答信号と第２の応答信号とを受入れてそれぞれの大きさを比較し、第１の応答信号が第２の応答信号よりも大きい場合に高いレベル（ハイレベル：Ｈ）となる第２のパルス信号を出力する（図８（ｃ））。
【００５７】
第２のパルス信号は、第１のパルス信号の立ち上がりに対して時間Ｔｓ１だけ遅れて立ち上がり、第１のパルス信号の立ち下がりに対して時間Ｔｓ２だけ遅れて立ち下がる。なお、時間Ｔｓ１と時間Ｔｓ２とは、同じ時間となっている。つまり、第２のパルス信号は、第１のパルス信号に対して時間Ｔｓ１（＝時間Ｔｓ２）だけ位相が遅れたパルス信号である。
【００５８】
そして、第１のパルス信号に応じて第１の切替回路５８２がＳＷ１及びＳＷ３を切替え、第２のパルス信号に応じて第２の切替回路５９２がＳＷ２及びＳＷ４を切替えると、図９（ａ）、（ｂ）に示すように、端子Ａの電位の変化に対し、時間Ｔｓ（＝時間Ｔｓ１＝時間Ｔｓ２）だけ遅れて端子Ｂの電位が変化する。
【００５９】
第１のパルス信号が高いレベル（ハイレベル：Ｈ）である時間をＴ（デューティ比が５０％）とすると、端子Ａ及び端子Ｂの電位がＶｐｐとなる時間もＴである。よって、図９（ｃ）に例示するように、第１のパルス信号の１周期の間に、端子Ａ及び端子Ｂには、端子Ａの相対電位が端子ＢよりもＶｐｐだけ高くなる時間Ｔｓと、端子Ａ、Ｂ間に電位差がない時間［２（Ｔ−Ｔｓ）］と、端子Ａの相対電位が端子ＢよりもＶｐｐだけ低くなる時間Ｔｓとが生じる。
【００６０】
このように、ブリッジ制御回路５８は、ブリッジ回路５６の端子Ａ及び端子Ｂの電位を切替えることにより、現像ローラ３１による上述したフレア現像を実現させている。
【００６１】
また、例えばデューティ比が６０％である第１のパルス信号を基準パルス生成部５８０が出力した場合、図９（ｄ）、（ｅ）に示すように、端子Ａの電位の変化に対し、時間Ｔｓ３だけ遅れて端子Ｂの電位が変化する。ここで、第１のパルス信号が高いレベル（ハイレベル：Ｈ）である時間をＴｔ１とすると、端子Ａ及び端子Ｂの電位がＶｐｐとなる時間もＴｔ１である。
【００６２】
よって、図９（ｆ）に例示するように、第１のパルス信号の１周期（Ｔｔ）の間に、端子Ａ及び端子Ｂには、端子Ａの相対電位が端子ＢよりもＶｐｐだけ高くなる時間Ｔｓ３と、端子Ａ、Ｂ間に電位差がない時間（下式１）と、端子Ａの相対電位が端子ＢよりもＶｐｐだけ低くなる時間Ｔｓ３とが生じる。
【００６３】
端子Ａ、Ｂ間に電位差がない時間＝（Ｔｔ１−Ｔｓ３）＋（Ｔｔ２−Ｔｓ３）
＝Ｔｔ−２Ｔｓ３      ・・・（１）
【００６４】
このように、ブリッジ制御回路５８は、基準パルス生成部５８０が生成する第１のパルス信号のデューティ比を変えることにより、ブリッジ回路５６の端子Ａ及び端子Ｂに生じる電位の変化を調節するように構成されてもよい。
【００６５】
次に、第１の低域通過フィルタ５８４の変形例について説明する。図１０は、第１の低域通過フィルタ５８４の変形例を示す構成図である。図１０（ａ）に示すように、第１の低域通過フィルタ５８４の第１の変形例は、抵抗器６００に対して並列に抵抗器６０４が設けられ、スイッチＳＷ−Ａ（以下ＳＷ−Ａ）のオン・オフにより、時定数が変わるように構成されている。
【００６６】
また、図１０（ｂ）に示すように、第１の低域通過フィルタ５８４の第２の変形例は、コンデンサ６０２に対して並列にコンデンサ６０６が設けられ、スイッチＳＷ−Ｂ（以下ＳＷ−Ｂ）のオン・オフにより、時定数が変わるように構成されている。
【００６７】
第２の低域通過フィルタ５８８も、第１の低域通過フィルタ５８４の変形例と同様に、時定数が可変となるように構成されてもよい。
【００６８】
図１１は、第１の低域通過フィルタ５８４の時定数が変更された場合の比較器５９０の動作を示すタイミングチャート（波形図）である。図１１（ａ）に示した第１のパルス信号を基準パルス生成部５８０が出力すると、第１の低域通過フィルタ５８４は、図１１（ｂ）に示した過渡的に変化する応答である出力信号（応答信号Ｉ）を出力する。
【００６９】
第２の低域通過フィルタ５８８は、反転器５８６が反転させた第１のパルス信号を受入れて、図１１（ｂ）に示した過渡的に変化する応答である出力信号（第２の応答信号）を出力する。
【００７０】
比較器５９０は、応答信号Ｉと第２の応答信号とを受入れてそれぞれの大きさを比較し、図１１（ｃ）に示すように、応答信号Ｉが第２の応答信号よりも大きい場合に高いレベル（ハイレベル：Ｈ）となる第２のパルス信号を出力する。
【００７１】
第２のパルス信号は、第１のパルス信号の立ち上がりに対して時間ＴｓＩだけ遅れて立ち上がり、第１のパルス信号の立ち下がりに対して時間ＴｓＩだけ遅れて立ち下がる。
【００７２】
一方、第１の低域通過フィルタ５８４の第１の変形例は、第１のパルス信号を受入れると、例えば図１１（ｂ）に示した過渡的に変化する応答である出力信号（応答信号ＩＩ）を出力する。第１の低域通過フィルタ５８４の第１の変形例は、例えば図１０（ａ）に示したＳＷ−Ａがオンにされて、第１の低域通過フィルタ５８４よりも時定数が小さくなっている。
【００７３】
比較器５９０は、応答信号ＩＩと第２の応答信号とを受入れてそれぞれの大きさを比較し、応答信号ＩＩが第２の応答信号よりも大きい場合に高いレベル（ハイレベル：Ｈ）となる第２のパルス信号を出力する。
【００７４】
ブリッジ制御回路５８が第１の低域通過フィルタ５８４の第１の変形例を有する場合、第２のパルス信号は、第１のパルス信号の立ち上がりに対して時間ＴｓＩＩだけ遅れて立ち上がり、第１のパルス信号の立ち下がりに対して時間ＴｓＩＩだけ遅れて立ち下がる。つまり、ブリッジ制御回路５８が第１の低域通過フィルタ５８４の第１の変形例を有する場合、ブリッジ制御回路５８が第１の低域通過フィルタ５８４を有する場合よりも第２のパルス信号の位相遅れは小さくなる。
【００７５】
このように、ブリッジ制御回路５８は、例えば第１の低域通過フィルタ５８４の時定数を変えることにより、第２のパルス信号の位相をシフトさせることができる。
【００７６】
次に、ブリッジ制御回路５８の第１の変形例について説明する。図１２は、ブリッジ制御回路５８の第１の変形例を示す構成図である。図１２に示すように、ブリッジ制御回路５８の第１の変形例は、基準パルス生成部５８０が生成した第１のパルス信号を反転せずに第１の低域通過フィルタ５８４に対して伝達する非反転回路５９４を有する。なお、ブリッジ制御回路５８の第１の変形例において、ブリッジ制御回路５８を構成する各部と実質的に同一であるものには、同一の符号が付してある。
【００７７】
非反転回路５９４は、例えばバッファ回路であり、第１の低域通過フィルタ５８４に対して必要な電流を供給する。例えば基準パルス生成部５８０の電流供給能力が低い場合、第１の低域通過フィルタ５８４に対して必要な電流が得られず、第１の低域通過フィルタ５８４における充電時間が遅くなってしまうことがある。つまり、非反転回路５９４は、基準パルス生成部５８０の電流供給能力が低い場合にも、第１の低域通過フィルタ５８４に対して必要な電流を供給しつつ、第１のパルス信号を伝達する。
【００７８】
次に、ブリッジ制御回路５８の第２の変形例について説明する。まず、ブリッジ制御回路５８の動作について、図１３を用いて補足説明する。図１３は、第１の低域通過フィルタ５８４が出力する第１の応答信号と、第２の低域通過フィルタ５８８が出力する第２の応答信号との大小関係が入れ替わるタイミングを示すタイミングチャート（波形図）である。
【００７９】
ブリッジ制御回路５８は、第１のパルス信号のパルス幅（時間）をＴとすると、第１のパルス信号に対して第２のパルス信号の位相をＴ／２以上シフトさせることはできない。例えば図１３（ａ）に示すように、第１の応答信号及び第２の応答信号は、第１のパルス信号の振幅値が漸近線となるように、過渡的に変化する。したがって、第１の応答信号及び第２の応答信号は、第１のパルス信号のＬレベルからＨレベルへ結ぶ対角線上の値よりも、常に大きな値で大小関係が入れ替わる。つまり、第１の応答信号及び第２の応答信号は、Ｔ／２よりも短い時間で値が交差する。
【００８０】
また、図１３（ｂ）に示すように、例えば第１の低域通過フィルタ５８４が出力する第１の応答信号がパルス幅Ｔの間に振幅値（Ｈレベル）まで到達しない場合には、第１の応答信号及び第２の応答信号の値がＴ／２よりも長い時間経過後に交差することも考えられる。しかし、第１の応答信号が振幅値まで到達しない場合、第１の応答信号が立ち上がるときに第１の応答信号及び第２の応答信号の値が交差するまでの時間（ＴｓＡ）に比べて、第１の応答信号が立ち下がるときに第１の応答信号及び第２の応答信号の値が交差するまでの時間（ＴｓＢ）が短くなる。つまり、第２のパルス信号は、第１のパルス信号の位相を変えた信号ではなくなってしまう。
【００８１】
そこで、ブリッジ制御回路５８の第２の変形例は、第２のパルス信号の位相をＴ／２以上シフトさせることができるように構成されている。図１４は、ブリッジ制御回路５８の第２の変形例を示す構成図である。なお、ブリッジ制御回路５８の第２の変形例において、ブリッジ制御回路５８を構成する各部と実質的に同一であるものには、同一の符号が付してある。
【００８２】
図１４に示すように、ブリッジ制御回路５８の第２の変形例は、第１の低域通過フィルタ５８４、反転器５８６、第２の低域通過フィルタ５８８及び比較器５９０をそれぞれ２つ以上有する。ブリッジ制御回路５８の第２の変形例は、例えば３つの比較器５９０を有するように構成される。また、比較器５９０などのように、複数ある構成のいずれかを特定する場合には、比較器５９０−１、比較器５９０−２、比較器５９０−３などと記すことがある。
【００８３】
ブリッジ制御回路５８の第２の変形例は、最初の比較器５９０−１の出力（第２のパルス信号）がＤＣ／ＤＣコンバータ５９６−１を介して再び第１の低域通過フィルタ５８４−２及び反転器５８６−２に対して入力される。ＤＣ／ＤＣコンバータ５９６は、比較器５９０が出力する信号のレベル（振幅値）を第１のパルス信号とほぼ同じレベルにして出力する。なお、ブリッジ制御回路５８の第２の変形例は、ＤＣ／ＤＣコンバータ５９６を有していない構成であってもよい。
【００８４】
また、２つ目の比較器５９０−２の出力（第３のパルス信号）がＤＣ／ＤＣコンバータ５９６−２を介して再び第１の低域通過フィルタ５８４−３及び反転器５８６−３に対して入力される。そして、３つ目の比較器５９０−３の出力（第４のパルス信号）が第２の切替回路５９２に対して入力される。
【００８５】
第２の切替回路５９２は、３つ目の比較器５９０−３の出力（第４のパルス信号）を受入れると、第４のパルス信号のレベルに応じてＳＷ２及びＳＷ４を切替える動作を行う。
【００８６】
図１５は、ブリッジ制御回路５８の第２の変形例の動作の一部を示すタイミングチャート（波形図）である。図１５（ａ）は、第１の低域通過フィルタ５８４−１に対して入力される第１のパルス信号である。
【００８７】
図１５（ｂ）に示すように、第１の低域通過フィルタ５８４−１が出力する第１の応答信号と、第２の低域通過フィルタ５８８−１が出力する第２の応答信号とは、第１のパルス信号の立上がり及び立下りから時間Ｔｓだけ遅れて大小関係が入れ替わる。
【００８８】
図１５（ｃ）に示すように、比較器５９０−１は、図１５（ｂ）に示した第１の応答信号及び第２の応答信号を受入れて、第２のパルス信号を出力する。また、第１の低域通過フィルタ５８４−２が出力する第１の応答信号と、第２の低域通過フィルタ５８８−２が出力する第２の応答信号とは、第２のパルス信号の立上がり及び立下りから時間Ｔｓだけ遅れて大小関係が入れ替わる。
【００８９】
図１５（ｄ）に示すように、比較器５９０−２は、図１５（ｃ）に示した第１の応答信号及び第２の応答信号を受入れて、第３のパルス信号を出力する。第３のパルス信号は、第１のパルス信号に対して時間２Ｔｓだけ遅れている。
【００９０】
同様に、比較器５９０−３は、第１の低域通過フィルタ５８４−３が出力する第１の応答信号と、第２の低域通過フィルタ５８８−３が出力する第２の応答信号を受入れて、第４のパルス信号を出力する。このように、ブリッジ制御回路５８の第２の変形例は、パルス信号の位相を変えることを繰り返すことにより、パルス信号の位相を上述したＴ／２よりも大きく変えることが可能になっている。
【００９１】
例えば、パルス信号の位相をｎ回変えると、位相を最大で約ｎＴ／２だけ変えることができる。なお、各第１の低域通過フィルタ５８４及び第２の低域通過フィルタ５８８は、それぞれ異なる時定数であってもよい。
【００９２】
次に、ブリッジ制御回路５８の第３の変形例について説明する。図１６は、ブリッジ制御回路５８の第３の変形例を示す構成図である。なお、ブリッジ制御回路５８の第３の変形例において、ブリッジ制御回路５８の第２の変形例を構成する各部と実質的に同一であるものには、同一の符号が付してある。また、ブリッジ制御回路５８の第３の変形例においては、第１の低域通過フィルタ５８４、反転器５８６、第２の低域通過フィルタ５８８及び比較器５９０をそれぞれ３つ有する構成としたが、それぞれ２つ以上であればいくつであってもよい。
【００９３】
ブリッジ制御回路５８の第３の変形例は、比較器５９０−１〜５９０−３がそれぞれ出力する第２のパルス信号〜第４のパルス信号のいずれかがＳＷ（スイッチ）７００〜７０２のいずれかにより選択されて第２の切替回路５９２へ入力されるように構成されている。つまり、ブリッジ制御回路５８の第３の変形例は、ＳＷ７００〜７０２のいずれか１つをオンにすることにより、第２の切替回路５９２へ入力するパルス信号の位相をシフトさせる回数を選択することができる構成となっている。
【００９４】
図１７は、実施の形態にかかる複合機などの画像形成装置１のハードウェア構成例を示すブロック図である。本図に示すように、この画像形成装置１は、コントローラ２１０とエンジン部（Ｅｎｇｉｎｅ）２６０とをＰＣＩ（Ｐｅｒｉｐｈｅｒａｌ  Ｃｏｍｐｏｎｅｎｔ  Ｉｎｔｅｒｆａｃｅ）バスで接続した構成となる。コントローラ２１０は、画像形成装置１全体の制御と描画、通信、操作表示部２２０からの入力を制御するコントローラである。エンジン部２６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部２６０には、プロッタなどのいわゆるエンジン部分に加えて、誤差拡散やガンマ変換などの画像処理部分が含まれてもよい。
【００９５】
コントローラ２１０は、ＣＰＵ２１１と、ノースブリッジ（ＮＢ）２１３と、システムメモリ（ＭＥＭ−Ｐ）２１２と、サウスブリッジ（ＳＢ）２１４と、ローカルメモリ（ＭＥＭ−Ｃ）２１７と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２１６と、ハードディスクドライブ（ＨＤＤ）２１８とを有し、ノースブリッジ（ＮＢ）２１３とＡＳＩＣ２１６との間をＡＧＰ（Ａｃｃｅｌｅｒａｔｅｄ  Ｇｒａｐｈｉｃｓ  Ｐｏｒｔ）バス２１５で接続した構成となる。また、ＭＥＭ−Ｐ２１２は、ＲＯＭ（Ｒｅａｄ  Ｏｎｌｙ  Ｍｅｍｏｒｙ）２１２ａと、ＲＡＭ（Ｒａｎｄｏｍ  Ａｃｃｅｓｓ  Ｍｅｍｏｒｙ)２１２ｂと、をさらに有する。
【００９６】
ＣＰＵ２１１は、画像形成装置１の全体制御を行うものであり、ＮＢ２１３、ＭＥＭ−Ｐ２１２及びＳＢ２１４からなるチップセットを有し、このチップセットを介して他の機器と接続される。
【００９７】
ＮＢ２１３は、ＣＰＵ２１１とＭＥＭ−Ｐ２１２、ＳＢ２１４、ＡＧＰバス２１５とを接続するためのブリッジであり、ＭＥＭ−Ｐ２１２に対する読み書きなどを制御するメモリコントローラと、ＰＣＩマスタ及びＡＧＰターゲットとを有する。
【００９８】
ＭＥＭ−Ｐ２１２は、プログラムやデータの格納用メモリ、プログラムやデータの展開用メモリ、プリンタの描画用メモリなどとして用いるシステムメモリであり、ＲＯＭ２１２ａとＲＡＭ２１２ｂとからなる。ＲＯＭ２１２ａは、プログラムやデータの格納用メモリとして用いる読み出し専用のメモリであり、ＲＡＭ２１２ｂは、プログラムやデータの展開用メモリ、プリンタの描画用メモリなどとして用いる書き込み及び読み出し可能なメモリである。
【００９９】
ＳＢ２１４は、ＮＢ２１３とＰＣＩデバイス、周辺デバイスとを接続するためのブリッジである。このＳＢ２１４は、ＰＣＩバスを介してＮＢ２１３と接続されており、このＰＣＩバスには、ネットワークインターフェース（Ｉ／Ｆ）部なども接続される。
【０１００】
ＡＳＩＣ２１６は、画像処理用のハードウェア要素を有する画像処理用途向けのＩＣ（Ｉｎｔｅｇｒａｔｅｄ  Ｃｉｒｃｕｉｔ）であり、ＡＧＰバス２１５、ＰＣＩバス、ＨＤＤ２１８及びＭＥＭ−Ｃ２１７をそれぞれ接続するブリッジの役割を有する。このＡＳＩＣ２１６は、ＰＣＩターゲット及びＡＧＰマスタと、ＡＳＩＣ２１６の中核をなすアービタ（ＡＲＢ）と、ＭＥＭ−Ｃ２１７を制御するメモリコントローラと、ハードウェアロジックなどにより画像データの回転などをおこなう複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部２６０との間でＰＣＩバスを介したデータ転送をおこなうＰＣＩユニットとからなる。このＡＳＩＣ２１６には、ＰＣＩバスを介してＦＣＵ（Ｆａｃｓｉｍｉｌｅ  Ｃｏｎｔｒｏｌ  Ｕｎｉｔ）２３０、ＵＳＢ（Ｕｎｉｖｅｒｓａｌ  Ｓｅｒｉａｌ  Ｂｕｓ）２４０、ＩＥＥＥ１３９４（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）インターフェース２５０が接続される。また、ＡＳＩＣ２１６は、図示しないホストＰＣ及びネットワーク等にも接続されている。操作表示部２２０は、例えばタッチパネルなどであり、コントローラ２１０に対する入力を受入れるとともに、画像形成装置１の状態などを表示する。また、操作表示部２２０は、ＡＳＩＣ２１６に直接接続されている。
【０１０１】
ＭＥＭ−Ｃ２１７は、コピー用画像バッファ、符号バッファとして用いるローカルメモリであり、ＨＤＤ（Ｈａｒｄ  Ｄｉｓｋ  Ｄｒｉｖｅ）２１８は、画像データの蓄積、プログラムの蓄積、フォントデータの蓄積、フォームの蓄積を行うためのストレージである。
【０１０２】
ＡＧＰバス２１５は、グラフィック処理を高速化するために提案されたグラフィックスアクセラレーターカード用のバスインターフェースであり、ＭＥＭ−Ｐ２１２に高スループットで直接アクセスすることにより、グラフィックスアクセラレーターカードを高速にするものである。
【０１０３】
記録媒体２１９は、例えば１度の書き込みが可能なＣＤ−Ｒ（Ｃｏｍｐａｃｔ  Ｄｉｓｃ  Ｒｅｃｏｒｄａｂｌｅ）などであり、記録したプログラムやデータなどをＨＤＤ２１８にコピーする場合などに用いられる。
【０１０４】
なお、上記実施の形態では、本発明の画像形成装置１をコピー機能、プリンタ機能、スキャナ機能及びファクシミリ機能のうち少なくとも２つの機能を有する複合機に適用した例を挙げて説明したが、複写機、プリンタ、スキャナ装置、ファクシミリ装置等の画像形成装置であればいずれにも適用することができる。
【符号の説明】
【０１０５】
１  画像形成装置
１０Ｃ、１０Ｍ、１０Ｙ、１０Ｋ  像形成装置
３０Ｃ、３０Ｍ、３０Ｙ、３０Ｋ  現像装置
３１Ｃ、３１Ｍ、３１Ｙ、３１Ｋ  現像ローラ
５０  電源部
５２  第１の電位形成部
５４  第２の電位形成部
５６  ブリッジ回路
５８  ブリッジ制御回路
２１０  コントローラ
２１１  ＣＰＵ
２２０  操作表示部
２６０  エンジン部
３００  画像処理部
３１０  軸部
３１２  内側電極
３１４  外側電極
３１６  絶縁層
３１８  表層
５８０  基準パルス生成部
５８２  第１の切替回路
５８４  第１の低域通過フィルタ
５８６  反転器
５８８  第２の低域通過フィルタ
５９０  比較器
５９２  第２の切替回路
５９４  非反転回路
５９６  ＤＣ／ＤＣコンバータ
６００、６０４  抵抗器
６０２、６０６  コンデンサ
７００〜７０２  ＳＷ（スイッチ）
ＳＷ１〜ＳＷ４、ＳＷ−Ａ、ＳＷ−Ｂ  スイッチ
【先行技術文献】
【特許文献】
【０１０６】
【特許文献１】特公平２−４５３８７号公報
【図１】
0005903829.tif 000002
【図２】
0005903829.tif 000003
【図３】
0005903829.tif 000004
【図４】
0005903829.tif 000005
【図５】
0005903829.tif 000006
【図６】
0005903829.tif 000007
【図７】
0005903829.tif 000008
【図８】
0005903829.tif 000009
【図９】
0005903829.tif 000010
【図１０】
0005903829.tif 000011
【図１１】
0005903829.tif 000012
【図１２】
0005903829.tif 000013
【図１３】
0005903829.tif 000014
【図１４】
0005903829.tif 000015
【図１５】
0005903829.tif 000016
【図１６】
0005903829.tif 000017
【図１７】
0005903829.tif 000018